(57)【要約】【課題】  廃棄物の積み上げ高さが規定値を超えないようにする廃棄物保管装置を提供する。【解決手段】  互いに対向し廃棄物Ｄを収容する収容壁３、４と、開閉自在で閉じた状態で収容壁３、４間の床Ｆの上方を床Ｆから所定の高さで覆うシャッター１０Ａ、１０Ｂと、を備える。廃棄物Ｄの積み上げ高さが法規定の上限高さを超える場合は、シャッターシャッター１０Ａ、１０Ｂを完全に閉じることができず、廃棄物Ｄの積み上げ高さが規定値を超えているか否か容易に判断できる。そして、シャッター１０Ａ、１０Ｂを完全に閉じることができる場合は、廃棄物Ｄは法規定の上限高さよりも低い状態にあるので、シャッター１０Ａ、１０Ｂを完全に閉じた状態で廃棄物Ｄを保管することにより、廃棄物Ｄの保管基準を確実に遵守することができる。【選択図】  図１
2010132382.tif 000002
【特許請求の範囲】
【請求項１】
廃棄物を一時的に保管する廃棄物保管装置であって、
互いに対向し、前記廃棄物を収容する収容壁と、
開閉自在で、閉じた状態で前記収容壁間の床の上方を床から所定の高さで覆うシャッターと、
を備えることを特徴とする廃棄物保管装置。
【請求項２】
前記収容壁間に収容された前記廃棄物の高さを平準化する平準化手段を備えることを特徴とする請求項１に記載の廃棄物保管装置。
【請求項３】
前記平準化手段は、前記シャッターの開閉先端部に設けられた平準化部材を備え、前記シャッターが閉じる際に前記平準化部材が前記廃棄物を移動させることで前記廃棄物の高さを平準化することを特徴とする請求項２に記載の廃棄物保管装置。
【請求項４】
前記平準化手段は、前記廃棄物を積載する可動床と、該可動床を振動させる振動手段とを備え、前記可動床が振動することで前記廃棄物の高さを平準化することを特徴とする請求項２に記載の廃棄物保管装置。
【発明の詳細な説明】
【技術分野】
【０００１】
この発明は、廃棄物を一時的に保管する廃棄物保管装置に関する。
【背景技術】
【０００２】
例えば、発電所などにおいて発生した産業廃棄物を廃棄処理する場合、廃棄物を一時的に廃棄物置場に保管し、一定量溜まった時点で廃棄物を処理、または処理場に搬送して処理することが行われている。このように廃棄物を保管する際、廃棄物処理法に定められている保管基準に従わなければならない。そして、この保管基準には、廃棄物の積み上げ高さが規定されており、所定の高さよりも廃棄物を積み上げてはならないことになっている（廃棄物の処理及び清掃に関する法律第１２条第２項）。このため、例えば、図９に示すように、廃棄物を収容する収容壁１０１〜１０４の内面に、積み上げの上限高さを示す線（以下、「上限線」という）１０５を描き、この上限線１０５よりも上に廃棄物を積み上げないように注意喚起していた。なお、廃棄物処分場を覆う屋根設備の高さを自由に調整できるようにした技術が知られている（例えば、特許文献１参照。）。
【特許文献１】特開２００４−３４４８３８号公報
【発明の開示】
【発明が解決しようとする課題】
【０００３】
ところで、上記のように上限線１０５で注意喚起するのみでは、廃棄物の積み上げ高さが上限高さを超えているか否かを判断することが容易ではなく、また、上限線１０１を超えて廃棄物を積み上げることが可能であるため、法規定を遵守できない場合が生じ得る。
【０００４】
そこでこの発明は、廃棄物の積み上げ高さが規定値を超えないようにする廃棄物保管装置を提供することを目的とする。
【課題を解決するための手段】
【０００５】
上記目的を達成するために請求項１に記載の発明は、廃棄物を一時的に保管する廃棄物保管装置であって、互いに対向し、前記廃棄物を収容する収容壁と、開閉自在で、閉じた状態で前記収容壁間の床の上方を床から所定の高さで覆うシャッターと、を備えることを特徴とする。
【０００６】
この発明によれば、閉じた状態でのシャッターの高さを法規定の積み上げ上限高さに設定する。そして、収容壁間の床に廃棄物を積み上げ、収容した状態でシャッターを閉じると、積み上げ上限高さの位置においてシャッターが廃棄物の上方を覆う。
【０００７】
請求項２に記載の発明は、請求項１に記載の廃棄物保管装置において、前記収容壁間に収容された前記廃棄物の高さを平準化する平準化手段を備えることを特徴とする。
【０００８】
請求項３に記載の発明は、請求項２に記載の廃棄物保管装置において、前記平準化手段は、前記シャッターの開閉先端部に設けられた平準化部材を備え、前記シャッターが閉じる際に前記平準化部材が前記廃棄物を移動させることで前記廃棄物の高さを平準化することを特徴とする。
【０００９】
請求項４に記載の発明は、請求項２に記載の廃棄物保管装置において、前記平準化手段は、前記廃棄物を積載する可動床と、該可動床を振動させる振動手段とを備え、前記可動床が振動することで前記廃棄物の高さを平準化することを特徴とする。
【発明の効果】
【００１０】
請求項１に記載の発明によれば、廃棄物の積み上げ高さが床から所定の高さを超える場合は、シャッターを完全に閉じることができず、廃棄物の積み上げ高さが法規定を超えているか否か容易に判断できる。そして、シャッターを完全に閉じることができる場合は、廃棄物は法規定の上限高さよりも低い状態にあるので、シャッターを完全に閉じた状態で廃棄物を保管することにより、廃棄物の保管基準を確実に遵守することができる。また、保管中の廃棄物は、上方がシャッターで覆われるので、保管中の廃棄物への雨水の浸入が回避できるとともに、廃棄物の周囲への飛散を防止することができる。
【００１１】
請求項２に記載の発明によれば、廃棄物の積み上げ高さにバラツキが生じても、平準化手段により廃棄物の高さを平準化できるので、廃棄物保管装置の収容スペースを有効利用することができ、廃棄物の保管量を増加させることが可能となる。これにより、廃棄物保管装置に収容された廃棄物の搬出回数を減らすことができ、廃棄物の回収コストを削減することができる。
【００１２】
請求項３に記載の発明によれば、平準化部材はシャッターの動きと連動するので、平準化部材を独立して駆動させる機構が不要となり、廃棄物の積み上げ高さを平準化するための機構を簡素化することができる。
【００１３】
請求項４に記載の発明によれば、可動床の振動に伴う廃棄物の振動によって廃棄物間の隙間を小とすることが可能となるので、廃棄物の収容密度を増加させることができ、シャッターの動きを利用する平準化機構に比べて、廃棄物の収容能力をさらに高めることができる。
【発明を実施するための最良の形態】
【００１４】
以下、この発明を図示の実施の形態に基づいて説明する。
【００１５】
（実施の形態１）
図１ないし図５は、この発明の実施の形態１に係る廃棄物保管装置１を示している。廃棄物保管装置１は、例えば火力発電所の所定の場所に設置されており、火力発電所で生じる鉄屑、瓦礫、電線などの廃棄物Ｄを一時的に保管するものである。鉄屑、瓦礫、電線などの廃棄物Ｄは、種類ごとに異なる廃棄物保管装置１に収容されている。廃棄物保管装置１は、図１に示すように、収容壁としての奥壁２、左側壁３、右側壁４、前壁５を有している。廃棄物保管装置１の各壁２〜５は、例えば鉄筋コンクリートから構成されており、各壁２〜５は廃棄物Ｄを四方から包囲するように配置されている。
【００１６】
奥壁２は、廃棄物保管装置１の中央奥側に位置しており、四角形の板状部材から構成されている。奥壁２は、左右方向の長さがＷに設定されており、床Ｆからの高さはＨ２に設定されている。左側壁３は、奥壁２の左端部から前方に延びる四角形の板状部材から構成されている。右側壁４は、奥壁２の右端部から前方に延びる四角形の板状部材から構成されている。左側壁３および右側壁４は、互いに対向するように配置されており、その間隔は奥壁２の左右方向の長さＷと同一となっている。前壁５は、廃棄物保管装置１の中央前側に位置しており、四角形の板状部材から構成されている。前壁５は、奥壁２と対向するように配置されている。前壁５の一方の端部は、左側壁３の前端部と接合されている。前壁５の他方の端部は、右側壁４の前端部と接合されている。前壁５は、床Ｆからの高さはＨ３に設定されており、奥壁２の高さＨ２よりも低くなっている。このように、廃棄物保管装置１は、前側よりも奥側が廃棄物Ｄの積み上げ高さが大となるように構成されている。
【００１７】
左側壁３には、シャッター１０Ａとシャッター１０Ｂが取付けられている。シャッター１０Ａ、１０Ｂは、左右方向に開閉自在であり、閉じた状態で左側壁３と右側壁４との間の床Ｆの上方を床Ｆから所定の高さで覆う機能を有している。シャッター１０Ａとシャッター１０Ｂは、幅方向の寸法のみが異なり、その他の構成は同一であることから、ここではシャッター１０Ａの構造についてのみ説明する。シャッター１０Ａは、図３に示すように、直線状に延びるガイドレール１１、１２と、移動可能なシャッター部１３を有している。ガイドレール１１とガイドレール１２は、所定の間隔（幅Ｗ１）をもって互いに対向するように設けられている。各ガイドレール１２、１３は、断面形状がコの字状に形成されている。シャッター部１３は、巻き取り可能な幅広の帯状に形成されている。シャッター部１３は、図４に示すように、複数の遮蔽板１３ａを有しており、各遮蔽板１３ａ同士は連結部１３ｂを介して回動可能に連結されている。シャッター部１３は、幅方向の一端部が一方のガイドレール１１に移動可能に保持されており、幅方向の他端部が他方のガイドレール１２に移動可能に保持されている。
【００１８】
図３に示すように、ガイドレール１１、１２の長手方向における一方の端部は、収納ボックス１４に連結されている。収納ボックス１４内には、シャッター部１３を巻き取るためのドラム１５が収納されている。ドラム１５は、収納ボックス１４に収納された駆動部１６に連結されている。駆動部１６は、モータやブレーキ（図示略）などを備えており、ドラム１５を軸心回りに回転させ、シャッター部１３の巻き取りおよび巻き出しを行う機能を有している。ガイドレール１１、１２の長手方向における他方の端部は、右側壁４の内面に連結されている。シャッター部１３は、駆動部１６によって回転駆動されるドラム１５により、ガイドレール１１、１２に沿って移動するようになっている。シャッター１０Ａとシャッター１０Ｂは、各シャッター部１３が連動して開閉するようになっており、各シャッター部１３は左側壁３に形成された貫通穴（図示略）を介して側壁４に対して進退可能となっている。
【００１９】
シャッター１０Ａは、図２に示すように、床Ｆの表面に対して斜め方向に配置されている。シャッター１０Ａの一方のガイドレール１２は、床Ｆから高さがＨ１となる位置に設けられている。シャッター１０Ａの他方のガイドレール１３は、前壁５の頂部に設けられており、床Ｆから高さがＨ３となっている。これにより、シャッター１０Ａは、シャッター部１３が床Ｆに対して所定の傾斜角度を保った状態で左右方向に移動（開閉）するようになっている。
【００２０】
シャッター１０Ｂは、図２に示すように、ガイドレール１１とガイドレール１２との間隔がＷ２となっており、ガイドレール１１、１２の床Ｆから高さは、いずれもＨ１に設定されている。シャッター１０Ｂでは、一方のガイドレール１１はシャッター１０Ａのガイドレール１２と隣接して設けられており、他方のガイドレール１２は奥壁２の内面側に設けられている。これにより、シャッター１０Ｂのシャッター部１３は、床Ｆと平行に左右方向に移動（開閉）するようになっている。
【００２１】
シャッター１０Ａ、１０Ｂは、左側壁３と右側壁４との間の床Ｆの上方を床Ｆから所定の高さをもって覆うようになっている。すなわち、シャッター１０Ａ、１０Ｂは、閉じた状態でのシャッター部１３の高さが廃棄物Ｄの法規定の積み上げ上限高さに設定されている。法規定の積み上げ上限高さは、奥壁２側が最も高く、前壁２に近づくにつれて徐々に低くなり、前壁２の内面側が最も低くなっている。すなわち、廃棄物Ｄの法規定の積み上げ高さは、図２に示すように、奥壁２の内面から前方に向かって長さＷ２までは高さＨ１となっており、ここから徐々に低くなり、前壁５の頂部で最も低い高さＨ３となっている。
【００２２】
左側壁３の外面側には、シャッター１０Ａとシャッター１０Ｂの開閉動作を行うための開閉スイッチ（図示略）が設けられている。シャッター１０Ａとシャッター１０Ｂは、閉動作時にはシャッター部１３が矢印Ｓ１方向に移動し、シャッター部１３の先端部が右側壁４の内面に接触した状態で自動停止するようになっている。シャッター１０Ａとシャッター１０Ｂは、開動作時にはシャッター部１３が矢印Ｓ２方向に移動し、シャッター部１３の先端部が左側壁３の内面に到達した位置で自動停止するようになっている。シャッター１０Ａにおけるガイドレール１２とシャッター１０Ｂにおけるガイドレール１１との間には、雨水などの浸入を防止するシール部材（図示略）が装着されている。
【００２３】
シャッター１０Ａ、１０Ｂのシャッター部１３の先端部には、図４に示すように、平準化部材としての押し板１７が取付けられている。押し板１７は、シャッター部１３の幅とほぼ同一の長さに設定されており、所定の高さを超える高さに積み上げられた廃棄物Ｄと干渉することにより廃棄物Ｄを押し崩し、廃棄物Ｄの積み上げ高さを平準化する機能を有している。押し板１７は、この実施の形態１においては遮蔽板１３ａの長手方向に沿って延びるように設けられているが、遮蔽板１３ａに対して斜め方向に設けることにより、積み上げられた廃棄物Ｄを前壁５側に移動させることが可能となる。
【００２４】
図５は、平準化部材の変形例を示している。図４においては、押し板１７によって廃棄物Ｄを押し崩すことにより、廃棄物Ｄの高さを平準化するようにしているが、図５に示すように、スクリューコンベア１８を利用して廃棄物Ｄの高さを平準化する構成としてもよい。この場合は、スクリューコンベア１８の回転軸１８ａの軸端部をそれぞれ軸受１８ｂを介してシャッター部１３の先端部に固定し、スクリューコンベア１８をモータ１８ｃによって軸心まわり（Ｒ方向）に回転させるように構成する。これにより、所定の高さを超える高さに積み上げられた廃棄物Ｄを、スクリューコンベア１８によって前壁５側に移動させることが可能となる。
【００２５】
この実施の形態１においては、収納ボックス１４を側壁３の外面側に設け、シャッター部１３を左側壁３に形成された貫通穴（図示略）を介して側壁４に対して進退可能としているが、収納ボックス１４を左側壁３の内面側に設ける構成としてもよい。また、押し板１７の形状を廃棄物Ｄの種類に応じて適宜変えることにより、廃棄物Ｄの移動をより容易にすることができる。さらに、廃棄物Ｄへの雨水の浸入を確実に防止するためには、シャッター１０Ａ〜１０Ｃのシャッター部１３の表面に防水処理を施すのが望ましい。
【００２６】
つぎに、実施の形態１における作用について説明する。
【００２７】
火力発電所で発生した廃棄物Ｄは、シャッター１０Ａおよびシャッター１０Ｂが閉じられた状態で廃棄物保管装置１に一時的に保管される。火力発電所内において、新たに廃棄物Ｄが生じた場合は、廃棄物Ｄは廃棄物保管装置１が設置されている場所まで搬送され、廃棄物保管装置１内に投入される。廃棄物保管装置１に投入する際には、左側壁３の外面側に設けられた開閉スイッチ（図示略）を操作し、シャッター１０Ａおよびシャッター１０Ｂを全開状態とする。この状態では、廃棄物保管装置１に収容された廃棄物Ｄが露出し、この廃棄物Ｄの上に新たな廃棄物Ｄが積み上げられる。
【００２８】
新たな廃棄物Ｄの廃棄物保管装置１内への投入が完了すると、開閉スイッチの操作により、シャッター１０Ａ、１０Ｂのシャッター部１３を矢印Ｓ１方向に移動させ、廃棄物保管装置１の上部をシャッター部１３により覆う。ここで、廃棄物Ｄの積み上げ高さが法規定の上限を超える場合は、シャッター１０Ａ、１０Ｂのシャッター部１３を完全に閉じることができないので、廃棄物Ｄの積み上げ高さが法規定の上限を超えているか否か容易に判断できる。また、廃棄物Ｄの積み上げ高さに大きなバラツキが生じている場合は、シャッター部１３が矢印Ｓ１方向に移動する際に、シャッター部１３の先端部に設けられた押し板１７が積み上げ高さの高い箇所の廃棄物Ｄと干渉することになり、押し板１７の移動によって廃棄物Ｄは押し崩される。これにより、積み上げ高さが高い箇所の廃棄物Ｄは下方へ移動し、廃棄物Ｄの積み上げ高さの平準化が図れる。
【００２９】
シャッター１０Ａ、１０Ｂのシャッター部１３を完全に閉じることができる場合は、廃棄物Ｄは法規定の上限高さよりも低い状態にあるので、シャッター部１３を完全に閉じた状態で廃棄物Ｄを保管することにより、廃棄物Ｄの保管基準を確実に遵守することができる。また、保管中の廃棄物Ｄは、上方がシャッター１０Ａ、１０Ｂのシャッター部１３で完全に覆われるので、保管中の廃棄物Ｄへの雨水の浸入が回避できるとともに、廃棄物Ｄの周囲への飛散を防止することができる。
【００３０】
このように、シャッター部１３の閉動作に伴って廃棄物Ｄの高さを平準化できるので、廃棄物保管装置１の収容スペースを有効に使用することができ、平準化しない場合に比べて廃棄物Ｄの保管量を増加させることが可能となる。これにより、廃棄物保管装置１に収容された廃棄物Ｄの搬出回数を減らすことが可能となり、廃棄物Ｄの回収コストを削減することができる。また、平準化部材としての押し板１７は、シャッター部１３の動きと連動するので、押し板１７を独立して駆動させる機構が不要となり、廃棄物Ｄの積み上げ高さを平準化するための機構を簡素化することができる。
【００３１】
（実施の形態２）
図６および図７は、この発明の実施の形態２に係る廃棄物保管装置１を示している。実施の形態２が実施の形態１と異なるところは、シャッター開閉方向のみであり、その他の部分は実施の形態１に準じるので、準じる部分に実施の形態１と同一の符号を付すことにより、準じる部分の説明を省略する。後述する他の実施の形態も同様とする。
【００３２】
実施の形態１においては、シャッター１０Ａ、１０Ｂのシャッター部１３は、左側壁３と右側壁４との間を移動するように構成されているが、実施の形態２においては、シャッター１０Ｃが奥壁２と前壁５との間を移動するように構成されている。すなわち、実施の形態１では、シャッター部１３が左右方向に移動するようになっているが、実施の形態２では、シャッター部１３は前後方向に移動するようになっている。この実施の形態２におけるシャッター１０Ｃは、実施の形態１におけるシャッター１０Ａの構成に準じており、図３のシャッター１０Ａに対して幅方向の長さＷ１とガイドレール１１、１２の形状が異なっている。
【００３３】
図７に示すように、シャッター１０Ｃの収納ボックス１４は、奥壁２の外面に固定されており、シャッター部１３は奥壁２に形成された貫通穴（図示略）を介して前壁５に対して進退可能となっている。シャッター部１３は、ドラム１５から屈曲点Ｐまでは水平方向に移動し、屈曲点Ｐから前壁５の頂部までは斜め方向に移動するようになっている。シャッター１０Ｃは、奥壁２と前壁５との間の床Ｆの上方を床Ｆから所定の高さをもって覆うようになっている。すなわち、シャッター１０Ｃは、閉じた状態でのシャッター部１３の高さが廃棄物Ｄの法規定の積み上げ上限高さに設定されている。法規定の積み上げ高さは、実施の形態１と同様に、奥壁２側が高さＨ１と最も高くなっており、前壁２に近づくにつれて徐々に低くなり、前壁５の頂部が高さＨ３と最も低くなっている。
【００３４】
シャッター１０Ｃの開閉動作は、例えば左側壁３の外面側に設けられた開閉スイッチ（図示略）により行われる。シャッター１０Ｃは、閉動作時にはシャッター部１３は矢印Ｓ３方向に移動し、シャッター部１３の先端部が前壁５の頂部に接触した状態で自動停止するようになっている。シャッター１０Ｃは、開動作時にはシャッター部１３は矢印Ｓ４方向に移動し、シャッター部１３の先端部が奥壁２の内面に到達した位置で自動停止するようになっている。
【００３５】
このように構成された実施の形態２においては、火力発電所で生じた新たな廃棄物Ｄを廃棄物保管装置１に投入する際には、左側壁３の外面側に設けられた開閉スイッチ（図示略）を操作し、シャッター１０Ｃを全開状態とする。この状態では、廃棄物保管装置１に収容された廃棄物Ｄが露出し、この廃棄物Ｄの上に新たな廃棄物Ｄが積み上げられる。新たな廃棄物Ｄの廃棄物保管装置１内への投入が完了すると、開閉スイッチの操作により、シャッター１０Ｃのシャッター部１３を矢印Ｓ３方向に移動させ、廃棄物保管装置１の上部をシャッター部１３で覆う。
【００３６】
ここで、廃棄物Ｄの積み上げ高さが法規定の上限を超える場合は、シャッター１０Ｃのシャッター部１３を完全に閉じることができないので、廃棄物Ｄの積み上げ高さが法規定の上限を超えているか否か容易に判断できる。シャッター１０Ｃのシャッター部１３を完全に閉じることができる場合は、廃棄物Ｄは法規定の上限高さよりも低い状態にあることになり、シャッター部１３を完全に閉じた状態で廃棄物Ｄを保管することにより、廃棄物Ｄの保管基準を確実に遵守することができる。
【００３７】
また、廃棄物Ｄの積み上げ高さに大きなバラツキが生じている場合は、シャッター部１３が矢印Ｓ３方向に移動する際に、シャッター部１３の先端部に設けられた押し板１７が積み上げ高さの高い箇所の廃棄物Ｄと干渉することになり、押し板１７の移動によって廃棄物Ｄは押し崩される。これにより、積み上げ高さが高い箇所の廃棄物Ｄは下方へ移動し、廃棄物Ｄの積み上げ高さの平準化が図れる。ここで、シャッター１０Ｃの閉動作時には、シャッター部１３が高い位置から低い位置に向けて移動するので、押し板１７が廃棄物Ｄと干渉した際は、廃棄物Ｄを小さい力で下方へ移動させることができ、より少ないエネルギーで廃棄物Ｄの積み上げ高さの平準化が図れる。実施の形態２においても、保管中の廃棄物Ｄをシャッター部１３で完全に覆うことができるので、保管中の廃棄物Ｄへの雨水の浸入が回避できるとともに、廃棄物Ｄの周囲への飛散を防止することができる。
【００３８】
（実施の形態３）
図８は、この発明の実施の形態３に係る廃棄物保管装置１を示している。廃棄物保管装置１は、廃棄物Ｄを積載する板状の可動床２０と、この可動床２０を振動させる振動手段２２とを備えており、可動床２０と振動手段２２は、廃棄物Ｄの積み上げ高さを平準化する平準化手段を構成している。可動床２０は、複数の弾性体２１を介して床Ｆに支持されており、上下左右に変位可能となっている。弾性体２１は、例えば圧縮コイルスプリングから構成してもよいし、圧縮強度の高いゴムから構成してもよい。可動床２０の下面には、振動手段２２が取付けられている。振動手段２２は、例えば振動モータ（図示略）を有しており、振動モータへの通電により可動床２０を振動させる機能を有している。実施の形態１においては、押し板１７やスクリューコンベア１８によって廃棄物Ｄの積み上げ高さを平準化するようにしているが、実施の形態３では可動床２０が振動することで、廃棄物Ｄの積み上げ高さを平準化するようにしている。
【００３９】
このように構成された実施の形態３においては、振動手段２２によって可動床２０を振動させることにより、高い位置にある廃棄物Ｄが振動により下方（矢印Ｓ５方向）に移動し、廃棄物Ｄの積み上げ高さを平準化することができる。また、可動床２０の振動に伴う廃棄物Ｄの振動により、廃棄物間の隙間を小とすることが可能となる。したがって、実施の形態３においては、実施の形態１，２のようにシャッター部１３の動きを利用する平準化機構に比べて、単位容積あたりの収容密度を増加させることができ、廃棄物Ｄの収容能力を大幅に高めることができる。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、シャッター１０Ａ〜１０Ｃは、シャッター部１３が自動で動く電動シャッターから構成されているが、開閉頻度が少ない場合などは、手動ウインチなどを利用した開閉構造を採用してもよい。また、シャッター１０Ａ〜１０Ｃのシャッター部１３の開閉操作を無線により行う構成としてもよい。
【図面の簡単な説明】
【００４１】
【図１】この発明の実施の形態１に係る廃棄物保管装置の斜視図である。
【図２】図１の装置の断面図である。
【図３】図１の装置におけるシャッターの透視斜視図である。
【図４】図１の装置における平準化部材の取付け状態を示す拡大断面図である。
【図５】図３の平準化部材の変形例を示すスクリューコンベアの正面図である。
【図６】この発明の実施の形態２に係る廃棄物保管装置の斜視図である。
【図７】図６の装置の断面図である。
【図８】この発明の実施の形態３に係る廃棄物保管装置の断面図である。
【図９】従来の廃棄物保管装置の斜視図である。
【符号の説明】
【００４２】
１        廃棄物保管装置
２        奥壁（収納壁）
３        左側壁（収納壁）
４        右側壁（収納壁）
５        前壁（収納壁）
１０Ａ    シャッター
１０Ｂ    シャッター
１０Ｃ    シャッター
１１      ガイドレール
１２      ガイドレール
１３      シャッター部
１４      収納ボックス
１５      ドラム
１６      駆動部
１７      押し板（平準化部材）
１８      スクリューコンベア（平準化部材）
２０      可動床（平準化手段）
２２      振動手段（平準化手段）
【図１】
2010132382.tif 000003
【図２】
2010132382.tif 000004
【図３】
2010132382.tif 000005
【図４】
2010132382.tif 000006
【図５】
2010132382.tif 000007
【図６】
2010132382.tif 000008
【図７】
2010132382.tif 000009
【図８】
2010132382.tif 000010
【図９】
2010132382.tif 000011